(57)【要約】【課題】不具合等によって原稿読取部を交換する際に要するコストを削減でき、組立て作業性が優れた画像形成装置を提供することを目的とする。【解決手段】原稿読取部２と、該原稿読取部２の前方に設けられ、その下面及び両側面を形成する操作部カバー８０を有する操作部５と、原稿読取部２の右後端部付近から右前端部付近に向かって及び左後端部付近から左前端部付近に向かってそれぞれ設けられ、原稿読取部２がその上面に載置される原稿読取部載置片４１、５１と、原稿読取部載置片４１、５１の後端部から上方に延出して設けられ原稿読取部２が後方から取付けられる延出片４２、５２と、を有する原稿読取部載置部材４０、５０と、原稿読取部載置片４０、５０のそれぞれの前端部付近を連結する連結片６１を有し操作部カバー８０が固定された操作部取付部材７０が取付けられる連結部材６０と、を具備することを特徴とする画像形成装置１。【選択図】図１
2005173174.tif 000002
【特許請求の範囲】
【請求項１】
原稿の画像を読み取る原稿読取部と、
該原稿読取部の前方に設けられ、その下面及び両側面を形成する操作部カバーを有し、操作入力が行われる操作部と、
前記原稿読取部の右後端部付近から右前端部付近に向かって、及び該原稿読取部の左後端部付近から左前端部付近に向かってそれぞれ設けられ、該原稿読取部がその上面に載置される原稿読取部載置片と、該原稿読取部載置片の後端部から上方に向かってそれぞれ延出して設けられ、前記原稿読取部が後方から取付けられる延出片と、を有する原稿読取部載置部材と、
前記原稿読取部載置片のそれぞれの前端部付近を連結する連結片を有し、前記操作部カバーが固定された操作部取付部材が取付けられる連結部材と、
を具備することを特徴とする画像形成装置。
【請求項２】
前記連結部材が、
前記連結片の前端部から上方に延出して設けられ、前記操作部取付部材が取付けられる上方延出片と、
前記連結片と前記上方延出片とに接続され、前記原稿読取部が上方から取付けられる原稿読取部取付片と、
を具備することを特徴とする請求項１に記載の画像形成装置。
【請求項３】
前記原稿読取部の下方に設けられ、該原稿読取部にて読み取られた画像を用紙に形成する画像形成部と、
該画像形成部の上面から上方に向かって設けられ、前記原稿読取部載置部材と前記連結部材とをその上部に接続し支持する支持部材と、
前記原稿読取部と前記画像形成部との間に設けられ、該画像形成部にて画像が形成された用紙を排出し収容する排紙部と、
を具備することを特徴とする請求項１又は２に記載の画像形成装置。
【発明の詳細な説明】
【技術分野】
【０００１】
本発明は、画像形成装置、特に胴内排紙型の画像形成装置に関するものである。
【背景技術】
【０００２】
コピー機能、スキャナ機能、ファクシミリ機能等の機能を備えた画像形成装置においては、原稿の画像を走査してそれを画像データとして読み取る原稿読取部と、読み取った画像データを用紙に転写し画像を形成する画像形成部と、使用者から動作指示や設定等の入力が行なわれる操作部と、画像が形成された用紙を排出し収容する排紙収容部を備えている。画像形成装置の占有面積を小さくするために、原稿読取部の下方に画像形成部を空間を隔てて設け、この空間内に排紙収容部を設ける胴内排紙型の画像形成装置が提案されている。
【０００３】
従来の胴内排紙型の画像形成装置においては、原稿読取部と操作部とを機械的及び電気的に連結しユニットとして一体化していた。そして、例えば、画像形成部の上面から壁体や支柱を上方に向けて設け、その上に天板を固定し、この天板に設けられた単一のねじ孔に、ねじを天板の下側から入れ天板の上面側へ貫通させ、前記ユニットの下面に設けられたねじ孔にねじをねじ込むことにより、ユニットを天板に固定し組付け作業を行っていた（例えば、特許文献１参照）。
【特許文献１】特開平１１−１４３２５３号公報
【発明の開示】
【発明が解決しようとする課題】
【０００４】
しかしながら、原稿読取部を不具合等によって交換しなければならない場合、原稿読取部と操作部とが機械的及び電気的に連結されユニットとして一体化されているので、操作部に不具合等がなくとも、原稿読取部と操作部との双方を交換する必要があった。従って、不具合等によって原稿読取部を交換する際に使用者等が要するコストが高くなっていた。更に、不具合等によってユニットを交換した場合には、結果として製造者側などは不具合等のない操作部も同時に引き取ることになり、倉庫等の収容スペースをより多く確保する必要があった。
【０００５】
又、操作部に外部から何らかの大きな衝撃が加わったなどの場合において、原稿読取部と操作部とが機械的に連結されユニットとして一体化されているため、原稿読取部にも影響が及び、原稿の読み取り品位が低下したり、原稿読取部をも故障等のために交換する必要が起こるなどの問題があった。又、排紙収容部内で下方側から上方側に向かって、天板のねじ孔を介してユニットのねじ孔にねじをねじ込む作業は、作業性が悪かった。
【０００６】
本発明は、上記した事情や問題に鑑みてなされたものであり、不具合等によって原稿読取部を交換する際に要するコストを削減でき、組付け作業性が優れた画像形成装置を提供することを目的とする。
【課題を解決するための手段】
【０００７】
当該目的を達成するために、請求項１に記載の画像形成装置は、原稿の画像を読み取る原稿読取部と、該原稿読取部の前方に設けられ、その下面及び両側面を形成する操作部カバーを有し、操作入力が行われる操作部と、前記原稿読取部の右後端部付近から右前端部付近に向かって、及び該原稿読取部の左後端部付近から左前端部付近に向かってそれぞれ設けられ、該原稿読取部がその上面に載置される原稿読取部載置片と、該原稿読取部載置片の後端部から上方に向かってそれぞれ延出して設けられ、前記原稿読取部が後方から取付けられる延出片と、を有する原稿読取部載置部材と、前記原稿読取部載置片のそれぞれの前端部付近を連結する連結片を有し、前記操作部カバーが固定された操作部取付部材が取付けられる連結部材と、を具備することを特徴としている。
【０００８】
請求項２に記載の画像形成装置は、請求項１に記載の画像形成装置において、前記連結部材が、前記連結片の前端部から上方に延出して設けられ、前記操作部取付部材が取付けられる上方延出片と、前記連結片と前記上方延出片とに接続され、前記原稿読取部が上方から取付けられる原稿読取部取付片と、を具備することを特徴としている。
【０００９】
請求項３に記載の画像形成装置は、請求項１又は２に記載の画像形成装置において、前記原稿読取部の下方に設けられ、該原稿読取部にて読み取られた画像を用紙に形成する画像形成部と、該画像形成部から上方に向かって設けられ、前記原稿読取部載置部材と前記連結部材とをその上部に接続し支持する支持部材と、前記原稿読取部と前記画像形成部との間に設けられ、該画像形成部にて画像が形成された用紙を排出し収容する排紙収容部と、を具備することを特徴としている。
【発明の効果】
【００１０】
請求項１に記載の画像形成装置によれば、原稿読取部は、原稿読取部載置部材の原稿読取部載置片の上面に載置され、原稿読取部載置部材の延出片に取付けられる。一方、操作部は、原稿読取部の前方に設けられるとともに、その一部を形成する操作部カバーが操作部取付部材を介して連結部材に取付けられる。従って、原稿読取部と操作部とは別々に取付けられるので、原稿読取部と操作部とをユニットとして一体化せずに、別々に取り外すことができるように構成することができる。このように構成することにより、原稿読取部を不具合等によって交換する場合には、原稿読取部のみを交換すればよいので、操作部を交換する必要がない。又、原稿読取部を交換する際に、操作部を取り外すなどの作業を必要としない。よって、不具合等によって原稿読取部を交換する際に要するコストを削減することができる。更に、製造者側などは不具合等のない操作部も同時に引き取る必要がなくなるので、倉庫等の収容スペースを削減することができる。更に、原稿読取部と操作部とは別々に取付けられるので、原稿読取部と操作部とをユニットとして一体化せずに構成することにより、操作部に外部から何らかの大きな衝撃が加わったなどの場合において、操作部から原稿読取部に及ぶ影響を小さくすることができ、原稿の読み取り品位が低下するなどの問題や、故障等のためによる原稿読取部の交換を削減することができる。
【００１１】
更に、原稿読取部は原稿載置部材の延出片に作業性の良い後方から取付けられるため、原稿読取部を取付ける際の組付け作業性を優れたものとすることができる。更に、操作部カバーが固定された操作部取付部材が連結部材に取付けられる。これにより、操作部取付部材を介して操作部カバーを連結部材に取付けることができるため、例えば、操作パネルやスピーカなどの操作部を構成する各種部品を搭載するように操作部カバーを形成することにより、操作部の組付け作業性を優れたものとすることができる。又、原稿読取部が上面に載置される原稿読取部載置片の前端部付近を連結する連結片を有する連結部材に、操作部の一部を形成する操作部カバーが固定された操作部取付部材が取付けられることによって、簡易な構成により、操作部を原稿読取部の前方に設けることができる。
【００１２】
更に、原稿読取部は、該原稿読取部の右後端部付近から右前端部付近に向かって、及び左後端部付近から左前端部付近に向かってそれぞれ設けられる原稿読取部載置片の上面に載置される。従って、原稿読取部は、その底部を全面又は概全面に渡って塞ぐ天板等の上には載置されておらず、その底部の一部が原稿読取部載置片によって塞がれるのみであるので、原稿読取部からの放熱効率を優れたものとすることができる。
【００１３】
請求項２に記載の画像形成装置によれば、連結部材が、原稿読取部載置部材の原稿読取部載置片の前端部付近を連結する連結片と、連結片の前端部から上方に延出されるとともに操作部取付部材が取付けられる上方延出片と、連結片と上方延出片とに接続されるとともに原稿読取部が上方から取付けられる原稿読取部取付片とを具備している。従って、原稿読取部が取り付けられる原稿読取部載置部材を連結する連結片と、操作部が取付けられる上方延出片とは、互いの端部において連続しているが異なる片である。又、原稿読取部が取付けられる原稿読取部取付片と、操作部が取付けられる上方延出片とは、互いに接続されているが異なる片である。これらにより、操作部に外部から何らかの大きな衝撃が加わったなどの場合において、連結片及び原稿読取部取付片と上方延出片との間において衝撃が一部吸収され得るので、操作部から原稿読取部に及ぶ影響を更に小さくすることができ、原稿の読み取り品位が低下するなどの問題や、故障等のためによる原稿読取部の交換を更に削減することができる。更に、原稿読取部は連結部材の原稿読取部取付片に作業性の良い上方から取付けられるため、原稿読取部を取付ける際の組付け作業性を優れたものとすることができる。
【００１４】
請求項３に記載の画像形成装置によれば、画像形成部から上方に向かって設けられ原稿読取部載置部材と連結部材とをその上部に接続し支持する支持部材を具備しているので、原稿読取部の下方に画像形成部を簡易な構成により設けることができる。又、原稿読取部と画像形成部との間に排紙収容部が設けられるので、画像形成装置の占有面積を小さくすることができる。更に、前記記載の各効果を有し、原稿読取部と画像形成部との間に排紙収容部が設けられた画像形成装置を得ることができる。
【発明を実施するための最良の形態】
【００１５】
不具合等によって原稿読取部を交換する際に要するコストを削減でき、組付け作業性が優れた画像形成装置を提供するという目的を、原稿読取部を載置する原稿読取部載置片の後端部から延出する延出片に原稿読取部を後方から取付け、原稿読取部載置片を連結する連結部材に、操作部の一部を形成する操作カバーが固定された操作部取付部材を取付けることにより実現した。
【００１６】
以下、本発明を実施するための最良の形態に係る画像形成装置について図面に基づいて説明する。該画像形成装置１は、例えばコピー機能、スキャナ機能、ファクシミリ機能、プリンタ機能等を有した複合機であり、図１及び図２に示すように、原稿読取部２の下方に画像形成部３を空間を隔てて設け、この空間内に排紙収容部４を設けている胴内排紙型の画像形成装置１であり、原稿読取部２の前方に操作部５が原稿読取部２とは別に設けられている。ここで、原稿読取部２は、原稿９の画像を走査してそれを画像データとして読み取る。画像形成部３は、原稿読取部２で読み取られた画像データやファクシミリ受信した画像データ等の画像を用紙１０上に記録する。排紙収容部４は、画像が記録された用紙１０を排出し収納する。操作部５は、使用者から動作指示や設定等の入力が行なわれる。
【００１７】
画像形成装置１は、更に、用紙１０を収容するともに用紙１０を画像形成部３に供給する用紙供給部６や、読み取り位置に原稿９を自動的に搬送する自動原稿供給部７をも備えている。なお、以下の説明において、図１に示すように、前側とは画像形成装置１における操作部５が位置する側を意味し、右側とは前方から画像形成装置１に向かって右側、即ち図２における右側を意味するものとする。
【００１８】
原稿読取部２は、図２に示すように、原稿９の画像を走査してそれを画像データとして読み取る読取デバイス１１を有する。ここで、読取デバイス１１は、原稿９の画像を走査してそれを画像データとして読み取る装置であって、コピー機やファクシミリ装置等において一般的に用いられるものを使用することができ、具体的には、ＣＣＤを用いた電荷結合形イメージセンサ、あるいは密着形イメージセンサ等を使用することができる。そして、この読取デバイス１１は、自動原稿供給部７により搬送される原稿９の画像を走査するために、自動原稿供給部７による原稿９の読み取り位置であるプラテンガラス１２の下方に配置されており、このプラテンガラス１２上に搬送される原稿９の画像を下方から走査する。又、この読取デバイス１１は、水平方向に移動可能に設けられており、プラテンガラス１２に隣接して配置されている原稿載置板１３の下方において水平方向に移動しつつ、この原稿載置板１３上に載置され原稿押圧板１４に押えられる原稿９の画像の走査をも行う。
【００１９】
画像形成部３は、用紙１０に画像を形成する部分である。ここでは、画像形成部３は、その画像形成方式として電子写真方式を用いており、感光体ドラム１５を含む電子写真方式の各種機構を有して構成されている。なお、画像形成部３の画像形成方式としては、これに限定されるものではなく、例えば、インクジェット記録方式や感熱記録方式等のこの分野で公知の各種の記録方式を用いることができる。画像形成部３は、用紙供給部６から搬送された用紙１０を、感光体ドラム１５を含む各種機構を介して排出部４へ搬送するための複数の搬送ローラ１６を備えている。
【００２０】
排紙収容部４は、画像形成部３にて画像が形成された用紙１０を排出し、収容する部分である。排紙収容部４は、画像形成部３から搬送された画像が形成された用紙１０を排出する排紙ローラ１７等を備える排紙機構１８と、排出された用紙１０を収容する排紙トレイ１９とを有して構成されている。
【００２１】
操作部５は、図１に示すように、原稿読取部２の前方に原稿読取部２とは別に機械的に直接接続されることなく設けられている。操作部５は、使用者が動作指示や設定等の入力を行なうための各種操作キーや動作や設定等を表示するための表示パネルを備えた操作パネル２６と、操作部５の下面及び側面を形成する操作部カバー８０と、スピーカ等の図示しない各種部品を有して構成されている。
【００２２】
用紙供給部６は、図２に示すように、所定サイズの用紙１０を収納するとともに、その用紙１０を画像形成部３に供給する部分であり、画像形成部３の直下に設けられている。用紙供給部６は、用紙１０を収納する複数段からなる用紙カセット２０と、この用紙カセット２０から用紙１０を１枚分離して取り出すピックアップローラ２１と、用紙１０を画像形成部３に搬送する複数の搬送ローラ２２とを有して構成されている。
【００２３】
自動原稿供給部７は、読取デバイス１１による読み取り位置であるプラテンガラス１２上に原稿９を自動的に搬送する部分であり、画像読取部２に開閉可能に取り付けられている。読み取り前の原稿９が載置される原稿載置トレー２３と、この原稿載置トレー２３上に載置された原稿９を１枚ずつ分離して搬送する搬送機構２４と、画像を読み取った後に排出された原稿９が収容される原稿排出トレー２５とを有して構成されている。
【００２４】
次に、原稿読取部２や操作部５を取付けるための構成について説明する。図１に示すように、画像形成部３の上面に設けられた前側支持部材３０と２本の後側支持部材３１、３２とからなる支持部材が支柱となり、これら前側支持部材３０及び後側支持部材３１、３２の上に、２本の原稿読取部載置部材４０、５０と連結部材６０とが固定され取付けられている。原稿読取部２は、原稿読取部載置部材４０、５０に載置されるとともに、原稿読取部載置部材４０、５０及び連結部材６０に固定され取付けられている。操作部５は、原稿読取部２の前方に別に設けられ、操作部カバー８０が固定された操作部取付部材７０が連結部材６０に固定され取付けられている。
【００２５】
ここで、前側支持部材３０は、画像読取部３の上面の右前端部付近から上方に向かって設けられている。一方、後側支持部材３１、３２は、画像形成部３の上面の右後端部付近及び左後端部付近から上方に向かってそれぞれ設けられている。これら前側支持部材３０や後側支持部材３１、３２は、画像形成部３に対してビス等の固定具にて接続固定されていてもよいし、画像形成部３のフレーム等と一体化して設けられていてもよい。又、前側支持部材３０及び右側の後側支持部材３１は、前記排紙機構１８を設けるためのフレーム等の一部であってもよい。なお、前側支持部材３０の上端面には、ビス等の固定具９０により連結部材６０を固定するための雌ねじ３３が設けられている。後側支持部材３１、３２の上端面には、ビス等の固定具９０により原稿読取部載置部材４０、５０を固定するための雌ねじ３４、３５がそれぞれ設けられている。
【００２６】
原稿読取部載置部材４０、５０は、原稿読取部２を載置し固定するために設けられている。これら原稿読取部載置部材４０、５０は、薄厚の部材であり、金属板を折曲げ等の成形加工したものであってもよいし、樹脂を成形加工したものであってもよい。原稿読取部載置部材４０、５０は、原稿読取部２の右後端部付近から右前端部付近に向かって、原稿読取部２の左後端部付近から左前端部付近に向かってそれぞれ設けられ、原稿読取部２がその上面に載置される原稿読取部載置片４１、５１と、これら原稿読取部載置片４１、５１の後端部から上方に向かって延出する延出片４２、５２とをそれぞれ有している。右側の原稿読取部載置片４１は、後側支持部材３１の上端部から前側支持部材３０の上端部に渡って張り渡されている。左側の原稿読取部載置片４２は、後側支持部材３２の上端部から前方の宙に向かって張り出されている。原稿読取部載置片４１、５１の後側には、ビス等の固定具９０を介して後側垂直部材３１、３２に固定するための貫通孔４３、５３がそれぞれ設けられている。又、原稿読取部載置片４１、５１の前側には、ビス等の固定具９０により連結部材６０を固定するための貫通孔４４、５４がそれぞれ設けられている。延出片４２、５２の中央付近には、ビス等の固定具９０により原稿読取部２を固定するための貫通孔４５、５５がそれぞれ設けられている。更に、右側の原稿読取部載置部材４０は、原稿読取部載置片４１の前端部から上方に延出した後に前方に延出する第２延出片４６を有している。第２延出片４６には、ビス等の固定具９０により連結部材６０に固定するための貫通孔４７が設けられている。
【００２７】
連結部材６０は、原稿読取部載置片４１、５１の前端部付近を連結するように設けられている。連結部材６０は、薄厚の金属板を折曲げ等の成形加工及び接合等により形成したものである。連結部材６０は、図１、図３及び図４に示すように、原稿読取部載置片４１、５１の前端部付近を連結する連結片６１と、この連結片６１の前側端部から上方に向かって延出する上方延出片６２と、この上方延出片６２の上側端部の一部から前方に向かって延出する前方延出片６３と、水平な面を有し連結片６１と上方延出片６２とに嵌合や接合などにより接続して設けられる断面横Ｌ字状の原稿読取部取付片６４とを有している。なお、連結片６１には、ビス等の固定具９０により原稿読取部載置部材４０、５０をそれぞれ固定するための雌ねじ６５が設けられている。上方延出片６２には、ビス等の固定具９０により操作部カバー８０を操作部取付部材７０を介して固定するための雌ねじ６６が複数設けられている。前方延出片６３には、ビス等の固定具９０により前側支持部材３０に固定するための貫通孔６７が設けられている。原稿読取部取付片６４の水平な面には、ビス等の固定具９０により原稿読取部２を上方から固定するための雌ねじ６８が設けられている。更に、原稿読取部取付片６４の水平な面には、ビス等の固定具９０により右側の原稿読取部載置部材４０を固定するための雌ねじ６９が設けられている。
【００２８】
原稿読取部２は、前記読取デバイス１１（図２参照）等を内部に有し箱型の外形を備えるものである。原稿読取部２の前面には、図１に示すように、ビス等の固定具９０により連結部材６０に固定するために、断面Ｌ字状の取付片９１を備えている。この取付片９１の前方に延出する片には、貫通孔９２が設けられている。原稿読取部２の後面には、図５に示すように、ビス等の固定具９０により原稿読取部載置部材４０、５０に固定するための雌ねじ９３が設けられている。
【００２９】
操作部取付部材７０は、操作部５の操作部カバー８０を連結部材６０に取付けるために設けられている。操作部取付部材７０は、薄厚の金属板を折曲げ等の成形加工により形成したものであっても、樹脂を成形加工したものであってもよい。操作部取付部材７０は、図１及び図６に示すように、操作部２の操作部カバー８０の側面を張る面に平行な面を備える主片７１と、この主片７１の後側端面から左右何れかの横方向に向かって延出する第１延出片７２と、主片７１の下側端面から左右何れかの横方向に向かって延出する第２延出片７３とを備えている。
【００３０】
操作部取付部材７０の第１延出片７２には、ビス等の固定具９０を介して、連結部材６０に固定するための貫通孔７４が設けられている。又、第１延出片７２の上端面の一部には、連結部材６０の上方延出片６２の上端面に係合し、操作部取付部材７０を連結部材６０に仮固定するための爪部７５が設けられている。この爪部７５は、下方を開放したコ字状の断面を有しており、第１延出片７２の上端面の一部から上方に延出する爪部第１片７５ａと、この爪部第１片７５ａの上端面から後方に延出する爪部第２片７５ｂと、この爪部第２片７５ｂの後端面から下方に延出する爪部第３片７５ｃとを有している。爪部第１片７５ａと爪部第３片７５ｃとの距離は、連結部材６０の上方延出片６２の厚さよりも少し大きく設定されている。第２延出片７３には、ビス等の固定具９０を介して、操作部５の操作部カバー８０に固定するための貫通孔７６が設けられている。又、第２延出片７３の貫通孔７６の付近には、操作部カバー８０との固定の弛みを防止するなどのために貫通孔７７が設けられている。
【００３１】
操作部カバー８０は、操作パネル２６及び操作部５内の図示しないスピーカや操作部用基板等の各種部品を搭載および外部から保護するとともに、操作部取付部材７０を介して連結部材６０に操作部５を取付けるために設けられている。操作部カバー８０は、樹脂を成形加工したものであっても、薄厚の金属板を成形加工や接合等により形成したものであってもよい。操作部カバー８０は、図７に示すように、操作部５を前面から下面に渡って形成する面を伴う前下面形成片８１と、操作部５の両側面を形成する面を伴い前下面形成片８１の左右両端部から上方に向かってそれぞれ延出して設けられた側面片８２とを備えている。前下面形成片８１の上面には、操作部取付部材７０の第２延出片７３をその上に載置するために、水平な上面を有する操作部取付部材載置部８３が設けられている。この操作部取付部材載置部８３には、ビス等の固定具９０により操作部取付部材７０を固定するために、雌ねじ８４が設けられている。又、操作部取付部材載置部８３の雌ねじ８４の前後には、操作部取付部材７０の第２延出片７３の貫通孔７７に挿通され、操作部取付部材７０に固定された操作部カバー８０の弛みを防止するために、操作部取付部材載置部８３の水平な上面から上方に突出する棒状突起８５が設けられている。なお、前下面形成片８１には、組付け時における前側支持部材３０との干渉防止のために、切欠８６が設けられている。
【００３２】
以下、画像形成装置１の原稿読取部２や操作部５などを組付ける手順について、図面を参照しながら説明する。まず、図１、図３及び図４に示すように、画像形成部３の上面に設けられた前側垂直部材３０の上端面の雌ねじ３３に、連結部材６０の前方延出片６３の貫通孔６７を介し、ビス等の固定具９０を用いて、連結部材６０を前側垂直部材３０に仮固定する。次に、後側垂直部材３１、３２の上端面の雌ねじ３４、３５に、原稿読取部載置部材４０、５０の原稿読取部載置片４１、５１の後側の貫通孔４３、５３を介し、ビス等の固定具９０を用いて、後側垂直部材３１、３２の上に原稿読取部載置部材４０、５０を仮固定する。これと共に、連結部材６０の連結片６１の雌ねじ６５に、原稿読取部載置部材４０、５０の原稿読取部載置片４１、５１の前側の貫通孔４４、５４を介し、ビス等の固定具９０を用いて、原稿読取部載置部材４０、５０の原稿読取部載置片４１、５１の前端部付近を連結部材６０により連結し仮固定する。これと共に、更に連結部材６０の原稿読取部取付片６４の雌ねじ６９に、右側の原稿読取部載置部材４０の第２延出片４６の貫通孔４７を介し、ビス等の固定具９０を用いて、右側の原稿読取部載置部材４０を連結部材６０に仮固定する。以上によって、画像形成部３の上面に設けられた前側垂直部材３０及び後側垂直部材３１、３２の上部に、原稿読取部載置部材４０、５０及び連結部材６０が仮固定されて支持されるので、この状態において各固定具９０を固定する。
【００３３】
次に、原稿読取部２を組付ける。図１に示すように、原稿読取部２を原稿読取部載置部材４０、５０の原稿読取部載置片４１、５１の上面に載置する。更に、図５に示すように、原稿読取部２の後面の雌ねじ９３に、原稿読取部載置部材４０、５０の延出片４２、５２の貫通孔４５、５５を介して、ビス等の固定具９０を後方から固定して、原稿読取部２を原稿読取部載置部材４０、５０に固定する。これとともに、図１に示すように、連結部材６０の原稿読取部取付片６４の雌ねじ６８に、原稿読取部２の前面に備えた取付片９１の貫通孔９２を介し、ビス等の固定具９０を上方から固定して、原稿読取部２を連結部材６０に固定する。これらの固定後若しくは固定前に、必要であれば原稿読取部２から他部への所定の電気的連結を行う。更に、自動原稿供給部７の機械的及び電気的な連結を行う。
【００３４】
次に、操作部５を組付ける。まず、図８に示すように、操作部取付部材７０の第２延出片７３の貫通孔７７に、操作部カバー８０の棒状突起８５を挿通する。これとともに、操作部カバー８０の操作部取付部材載置部８３の上面に、操作部取付部材７０を第２延出片７３の底面を底面にして載置し、操作部カバー８０の雌ねじ８４（図１及び図７参照）に、操作部取付部材７０の第２延出片７３の貫通孔７６を介して、ビス等の固定具９０を上方から固定し、操作部取付部材７０に操作部カバー８０を固定する。操作部取付部材７０は、操作部カバー８０を補強する役割も果たしている。次に、連結部材６０の上方延出片６２の左右方向に平らな面をなしている上端面に、操作部取付部材７０の爪部７５を引っ掛け、操作部カバー８０が固定された操作部取付部材７０を連結部材６０に仮固定する。次に、連結部材６０の上方延出片６２の雌ねじ６６（図１、図３及び図４参照）に、操作部取付部材７０の第１延出片７２の貫通孔７４（図１及び図６参照）を介して、ビス等の固定具９０を前方から固定し、連結部材６０に操作部取付部材７０を固定する。最後に、図１に示すように、操作部５の操作パネル２６や各種部品の所定の機械的及び電気的連結を行い、画像形成装置１の組付けが完了する。
【００３５】
以上のように、原稿読取部２は原稿読取部載置部材４０、５０の延出片４１、５１及び連結部材６０の原稿読取部取付片６４に、操作部５は操作部取付部材７０を介して操作部カバー８０が連結部材６０の上方延出片６２に、それぞれ別々に固定されている。又、ビス等の固定具９０の固定は全て上方、前方又は後方からであり、下方から固定する必要がないので、組付け作業性が優れている。又、操作部カバー８０は操作部連結部材７０が爪部７５を備え、この爪部７５を連結部材６０の上方延出片６２に引っ掛けることにより、他の部材や道具を用いることなく、操作部カバー８０を簡易に仮固定できる。これにより、作業者が操作部カバー８０を支える必要なく操作部カバー８０を操作部取付部材７０を介して連結部材６０に固定することができるので、組付け作業性が向上する。
【００３６】
以下、画像形成装置１の原稿読取部２を不具合等によって交換する手順について、主に図１に基づいて説明する。まず、自動原稿供給部７の機械的及び電気的な連結を解除する。次に、原稿読取部２の後面の雌ねじ９３（図５参照）に原稿読取部載置部材４０、５０の延出片４２、５２の貫通孔４５、５５を介して固定されたビス等の固定具９０を後方から取り外す。これとともに、連結部材６０の原稿読取部取付片６４の雌ねじ６８（図４参照）に原稿読取部２の前面に備えた取付片９１の貫通孔９２を介して固定されたビス等の固定具９０を上方から取り外す。これらの固定具９０の取り外し後若しくは取り外し前に、必要であれば原稿読取部２から他部への電気的連結を解除する。これにより、原稿読取部２の固定は全て解除された状態になる。次に、原稿読取部載置部材４０、５０の原稿読取部載置片４１、５１の上面に載置されている原稿読取部２を取り外す。その後、上記原稿読取部２を組付ける手順と同様に、交換品の原稿読取部２を組付ける。最後に、自動原稿供給部７の機械的及び電気的な連結行い、原稿読取部２の交換が完了する。以上のように、原稿読取部２を交換する必要がある場合、操作部５を交換する必要も取り外す必要もないので、不具合等によって原稿読取部２を交換する際に要するコストを削減することができる。
【００３７】
以上、本発明を実施するための最良の形態に係る画像形成装置１について説明したが、これに限られるものではない。例えば、原稿読取部載置部材４０、５０と連結部材６０とを一体化しコ字形の部材としてもよい。又、前側支持部材３０を連結部材６０に固定するのではなく、原稿読取部載置部材４０に固定してもよい。又、画像形成部３の上面前部の右側に前側支持部材３０を設けるのではなく、左側に前側支持部材を設けてもよい。
【産業上の利用可能性】
【００３８】
画像形成装置において、一体化した部分を別々に構成するもの等に適用することが可能である。
【図面の簡単な説明】
【００３９】
【図１】本発明の実施例に係る画像形成装置を示す分解斜視図である。
【図２】図１に示した画像形成装置の概略断面図である。
【図３】図１に示した画像形成装置の連結部材を示す斜視図である。
【図４】図１に示した画像形成装置の連結部材を組付けた状態を後方から見た状態を示す部分斜視図である。
【図５】図１に示した画像形成装置の一部を後方から見た状態を示す分解斜視図である。
【図６】図１に示した画像形成装置の操作部取付部材を示す斜視図である。
【図７】図１に示した画像形成装置の操作部カバーを示す斜視図である。
【図８】図１に示した画像形成装置の操作部取付部材と操作部カバーを組付けた状態を示す部分斜視図である。
【符号の説明】
【００４０】
１  画像形成装置
２  原稿読取部
３  画像形成部
４  排紙収容部
５  操作部
９  原稿
１０  用紙
２７  操作部カバー
３０  前側支持部材（支持部材）
３１、３２  後側支持部材（支持部材）
４０、５０  原稿読取部載置部材
４１、５１  原稿読取部載置片
４２、５２  延出片
６０  連結部材
６１  連結片
６２  上方延出片
６４  原稿読取部取付片
７０  操作部取付部材
８０  操作部カバー
【図１】
2005173174.tif 000003
【図２】
2005173174.tif 000004
【図３】
2005173174.tif 000005
【図４】
2005173174.tif 000006
【図５】
2005173174.tif 000007
【図６】
2005173174.tif 000008
【図７】
2005173174.tif 000009
【図８】
2005173174.tif 000010